(57)【要約】【課題】シートが重合されてポケット部が形成されたポケットにおいて、開口部より被収容物を出し入れしやすくした、ポケットを提供する。【解決手段】このポケット１０は、シート１２，１４，１６が重合されて、被収容物Ａを収容する収容部を有するポケット部２０，２２が形成され、重合されたシート１２，１４の端縁において、ポケット部２０，２２の収容部内に被収容物Ａを出し入れするための開口部３４，３６が形成され、該開口部３４，３６近傍において、該シート１２，１４の端縁に沿って、シート１２，１４の外表面より収容部側に向けて押圧した線状の押圧部４６，４８が形成され、該押圧部４６，４８と開口部３４，３６を形成する開口端縁３４ａ，３６ａとの間が、収容部側よりシート１２，１４の外表面側に向けて持ち上がっている、ポケットである。【選択図】      図１
2004216594.tif 000002
【特許請求の範囲】
【請求項１】
シートが重合されて、被収容物を収容する収容部を有するポケット部が形成され、
重合されたシートの端縁において、ポケット部の収容部内に被収容物を出し入れするための開口部が形成され、
該開口部近傍において、該シートの端縁に沿って、シートの外表面より収容部側に向けて押圧した線状の押圧部が形成され、該押圧部と開口部を形成する開口端縁との間が、収容部側よりシートの外表面側に向けて持ち上がっている、ポケット。
【請求項２】
仕切り用シートの表面に表側シートが重合され且つ該仕切り用シートの裏面に裏側シートが重合されて、被収容物を収容する収容部を有するポケット部が形成され、
重合された表側シート及び裏側シートに、ポケット部の収容部内に被収容物を出し入れするためのスリット状開口部が部分的に形成され、
該開口部近傍において、該表側シートの開口端縁及び／又は裏側シートの開口端縁に沿って、表側シート及び／又は裏側シートの外表面より収容部側に向けて押圧した線状の押圧部が形成され、該押圧部と開口部を形成する開口端縁との間が、ポケット部の収容部側より表側シートの外表面側及び／又は裏側シートの外表面側に向けて持ち上がっている、ポケット。
【請求項３】
熱可塑性プラスチックシートが重合され、且つ該表側シート及び裏側シートの間に仕切り用プラスチックシートが重合され、前記熱可塑性プラスチックシートが仕切り用プラスチックシートとともに、部分的に溶着されてポケット部が形成され、ポケット部を区画形成する溶着部に沿って、適宜な間隔をおいてシートの一部分に開口部が形成された、請求項２に記載のポケット。
【請求項４】
重合されたポケット部を構成する前記シートが部分的に切断されて形成された直線状端縁において、ポケット部間に被収容物を出し入れするための開口部が形成された、請求項１ないし請求項３のいずれかに記載のポケット。
【請求項５】
ポケット部の開口部近傍において、前記シートの直線状端縁に沿って、該直線状端縁と平行して前記シートの外表面側よりポケット部の収容部側に向けてシートを押圧して、シートの直線状端縁と平行な直線状の押圧部が形成され、該押圧部と開口部を形成する開口端縁との間が、収容部側よりシートの外表面側に向けて持ち上がっている、請求項１ないし請求項４のいずれかに記載のポケット。
【発明の詳細な説明】
【０００１】
【発明の属する技術分野】
この発明は、ポケットに関し、特にたとえば、名刺などのカード型紙片を入れて整理し、ファイルに綴じることができるプラスチック製シートからなる、ポケットに関する。
【０００２】
【従来の技術】
プラスチックシートを部分的に溶着して、ポケット部が形成されたポケットが、多数提案されている。
たとえば、特開平１１−１９２７９３号公報に開示されたポケットもその１つであるが、このフォトポケットにおいては、ポケット材の幅方向におけるポケット部の開口部は、ポケット材の左端縁近傍、すなわち折り返し部とは反対側端縁に形成される綴じ代部に対向して形成されており、この開口部から、横長の写真を水平方向すなわち部分的に溶着されてなる区画溶着部に沿って入れるように構成されている。
【０００３】
【特許文献１】
特開平１１−１９２７９３号公報
【０００４】
【発明が解決しようとする課題】
ところが、このプラスチック製フィルムからなるポケットにおいて、開口部から横長の写真などの被収容物を入れようとすると、比較的薄いプラスチック製フィルム材からなるポケット部の開口部は、開口部を構成するプラスチック製フィルムどうし引っ付いた状態となっているために、被収容物をポケット部内に入れにくい場合がある。
特に、腰のないカードなどの場合、より一層入れにくくなる。
【０００５】
それゆえに、この発明の主たる目的は、シートが重合されてポケット部が形成されたポケットにおいて、開口部より被収容物を出し入れしやすくした、ポケットを提供することである。
【０００６】
【課題を解決するための手段】
この発明の請求項１にかかるポケットは、シートが重合されて、被収容物を収容する収容部を有するポケット部が形成され、重合されたシートの端縁において、ポケット部の収容部内に被収容物を出し入れするための開口部が形成され、該開口部近傍において、該シートの端縁に沿って、シートの外表面より収容部側に向けて押圧した線状の押圧部が形成され、該押圧部と開口部を形成する開口端縁との間が、収容部側よりシートの外表面側に向けて持ち上がっている、ポケットである。
この発明の請求項２にかかるポケットは、仕切り用シートの表面に表側シートが重合され且つ該仕切り用シートの裏面に裏側シートが重合されて、被収容物を収容する収容部を有するポケット部が形成され、重合された表側シート及び裏側シートに、ポケット部の収容部内に被収容物を出し入れするためのスリット状開口部が部分的に形成され、該開口部近傍において、該表側シートの開口端縁及び／又は裏側シートの開口端縁に沿って、表側シート及び／又は裏側シートの外表面より収容部側に向けて押圧した線状の押圧部が形成され、該押圧部と開口部を形成する開口端縁との間が、ポケット部の収容部側より表側シートの外表面側及び／又は裏側シートの外表面側に向けて持ち上がっている、ポケットである。
この発明の請求項３にかかるポケットは、熱可塑性プラスチックシートが重合され、且つ該表側シート及び裏側シートの間に仕切り用プラスチックシートが重合され、前記熱可塑性プラスチックシートが仕切り用プラスチックシートとともに、部分的に溶着されてポケット部が形成され、ポケット部を区画形成する溶着部に沿って、適宜な間隔をおいてシートの一部分に開口部が形成された、請求項２に記載のポケットである。
この発明の請求項４にかかるポケットは、重合されたポケット部を構成する前記シートが部分的に切断されて形成された直線状端縁において、ポケット部間に被収容物を出し入れするための開口部が形成された、請求項１ないし請求項３のいずれかに記載のポケットである。
この発明の請求項５にかかるポケットは、ポケット部の開口部近傍において、前記シートの直線状端縁に沿って、該直線状端縁と平行して前記シートの外表面側よりポケット部の収容部側に向けてシートを押圧して、シートの直線状端縁と平行な直線状の押圧部が形成され、該押圧部と開口部を形成する開口端縁との間が、収容部側よりシートの外表面側に向けて持ち上がっている、請求項１ないし請求項４のいずれかに記載のポケットである。
【０００７】
〔発明の作用・効果〕
請求項１及び２の発明によれば、ポケット部の開口部近傍において、ポケットを構成するシートの端縁に沿って、線状の押圧部が形成され、該押圧部と開口部を形成する端縁との間が、収容部側よりシートの外表面側に向けて持ち上がっているので、開口部より被収容物を出し入れするときに、ポケット部を構成するシートの開口部側端縁に引っ掛かることなく、被収容物を収容部内に収容することができる。
請求項３の発明によれば、熱可塑性プラスチックシートを重合するとともに、熱可塑性プラスチックシートの間に仕切り用プラスチックシートを重合し、熱可塑性プラスチックシートを部分的に仕切り用プラスチックシートとともに溶着することができるので、比較的簡単に熱溶着のための型でポケット部を形成することができる。
請求項４の発明によれば、ポケット部を構成する重合されたシートを部分的にたとえばスリッターで切断することにより、直線状端縁を形成し、ポケット部間に被収容物を出し入れするための開口部を比較的容易に構成することができる。請求項５の発明によれば、ポケット部の開口部近傍において、ポケット部を構成するシートの直線状端縁に沿って、シートの外表面側より収容部側に向けて押圧して、直線状の押圧部が形成されているので、たとえばポケット部の形成と開口部の形成とに続いてあるいはそれより前において、連続して押し型をもって、押圧部を形成することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の一実施の形態である名刺用ポケットの正面図であり、図２は、該名刺用ポケットの背面図である。図３は、図１図示名刺用ポケットの底面図であり、図４は、図１の線Ｂ−Ｂにおける断面図であり、図５は、図４図示Ｃ−Ｃ拡大断面図であり、図６は、図４図示Ｄ−Ｄ拡大断面図であり、図７は、開口部における縦断面図解図であり、図８は、図１図示Ｅ−Ｅ拡大図である。
この名刺用ポケット１０は、プラスチックシートからなる表側シート１２およびプラスチックシートからなる裏側シート１４とが重合され、該表側シート１２と裏側シート１４との間には、同種のプラスチックシートからなる仕切り用シート１６が重合されている。すなわち、仕切り用シート１６の裏面に表側シート１２が重合され、且つ仕切り用シート１６の裏面に裏側シート１４が重合されている。
表側シート１２、裏側シート１４および仕切り用シート１６は、たとえば、ポリプロピレン等の比較的薄い熱可塑性プラスチックシートからなるが、この明細書においては、シート状物、フィルム、フィルム状物等を含めて、単にシートという。
【００１０】
表側シート１２及び裏側シート１４は、透明又は半透明の矩形のシートであり、表側シート１２と裏側シート１４と表側シート１２及び裏側シート１４の間に挟まれた仕切り用シート１６とは、その上端縁に溶断シール部１８ａが形成され、下端縁に溶断シール部１８ｂが形成され、該溶断シール部１８ａ，１８ｂによって、表側シート１２と裏側シート１４と仕切り用シート１６とは、連結一体化されている。
【００１１】
そして、溶断シール部１８ａからなる上端縁及び溶断シール部１８ｂからなる下端縁の間には、表側シート１２によって形成される表ポケット部２０と裏側シート１４によって形成される裏ポケット部２２が形成され、且つ左側縁にはとじ代部２４が形成されている。また、右側縁は、表側シート１２と裏側シート１４とが連続した折り曲げ部からなり、元々連続している。
表ポケット部２０を構成する表側シート１２側と裏ポケット部２２を構成する裏側シート１４側とは、線対称に形成されている。
【００１２】
そこで、まず、表ポケット部２０を構成する表側シート１２について説明する。
表ポケット部２０は、表側シート１２の略中央より若干右寄りに位置する部位において、表側シート１２の長手方向に形成された熱溶着部２６ａによって、左右に分割されるとともに、表側シート１２の左側端縁近傍に形成されたとじ代部２４との間において表側シート１２の長手方向に形成された熱溶着部２６ｂによって区画形成されている。
熱溶着部２６ａ及び熱溶着部２６ｂは、表側シート１２と裏側シート１４と仕切り用シート１６とを一度に熱溶着して形成されている。
【００１３】
表ポケット部２０は、熱溶着部２６ａによって左右に分割されて第１ポケット部列３０と第２ポケット部列３２とが形成されている。
第１ポケット部列３０は、熱溶着部２８ａが幅方向において直線状に所定間隔をおいて間歇的に形成されて、上から五段の小さく区画された小ポケット部２０ａ，２０ｂ，２０ｃ，２０ｄ，２０ｅを備えている。小ポケット部２０ａ，２０ｂ，２０ｃ，２０ｄ，２０ｅは、上から順に、同一間隔で設けられている。
また、第２ポケット部列３２も、第１ポケット部列３０と同様に形成されている。すなわち、熱溶着部２８ｂが、前記熱溶着部２８ａに続いて、幅方向において間歇的に直線状に形成され、熱溶着部２８ｂによって区画形成された小ポケット部２０ｆ，２０ｇ，２０ｈ、２０ｉ，２０ｊが上から順に、同一間隔で設けられている。
熱溶着部２８ａ及び熱溶着部２８ｂは、表側シート１２と裏側シート１４と仕切り用シート１６とを一度に熱溶着して形成されている。
【００１４】
第１ポケット部列３０を構成する小ポケット部２０ａ，２０ｂ，２０ｃ，２０ｄ，２０ｅの収容部内に、名刺等のカード型の被収容物Ａを出し入れするために、表側シート１２の上端から下端にわたって連続した、細巾スリット状で直線の第１開口部３４が形成されている。
第１開口部３４は、表ポケット部２０ととじ代部２４とを区画する熱溶着部２６ｂと略平行に形成され、該熱溶着部２６ｂとは一定の間隔をあけて形成されている。
この第１開口部３４が、小ポケット部２０ａ，２０ｂ，２０ｃ，２０ｄ，２０ｅのそれぞれの開口部を形成している。
また、第２ポケット部列３２を構成する小ポケット部２０ｆ，２０ｇ，２０ｈ，２０ｉ，２０ｊの収容部内に被収容物Ａを出し入れするために、表側シート１２の上端から下端にわたって連続した、細巾スリット状で直線の第２開口部３６が形成されている。
第２開口部３６は、第１ポケット部列３０と第２ポケット部列３２とを区画する熱溶着部２６ａと平行で、該熱溶着部２６ａとは一定の間隔をおいて設けられている。
この第２開口部３６が、小ポケット部２０ｆ，２０ｇ，２０ｈ、２０ｉ，２０ｊのそれぞれの開口部を形成している。
このように、熱溶着部２６ａと第２開口部３６との間及び熱溶着部２６ｂと第１開口部３４との間が、一定の間隔をおいて形成されることにより、連続した位置に形成するよりも、より熱溶着部２６ａ及び熱溶着部２６ｂの接着が強固となる。
【００１５】
表ポケット部２０を構成する表側シート１２は、部分的に切断されて、小ポケット部２０ａ，２０ｂ，２０ｃ，２０ｄ，２０ｅ内に被収容物Ａを出し入れするために形成された第１開口部３４および小ポケット部２０ｆ，２０ｇ，２０ｈ，２０ｉ，２０ｊ内に被収容物Ａを出し入れするために形成された第２開口部３６によって、とじ代部２４側より、第１シート４０、第２シート４２、第３シート４４に分断されている。
第１シート４０は、とじ代部２４の側端に、熱溶着部２６ｂが形成され、とじ代部２４とは反対側に直線状の開口部端縁４０ｂを備えている。
第２シート４２は、第１開口部３４側の直線状の第１開口端縁３４ａと、第２開口部３６側の直線状の開口部端縁４２ｂとを備え、開口部端縁４２ｂの近傍に、開口部端縁４２ｂとは一定の間隔をおいて、熱溶着部２６ａが形成されている。
第３シート４４は、第２開口部３６側の直線状の第２開口端縁３６ａを備えている。
【００１６】
第１開口部３４の第１開口端縁３４ａと第２開口部３６の第２開口端縁３６ａの内側近傍において、該第１開口端縁３４ａと第２開口端縁３６ａに沿って、略平行に、表側シート１２の外表面側より、表ポケット部２０の収容部側に向けて押し型で表側シート１２を押して、直線状の押圧部４６および押圧部４８が形成されている。
第１開口部３４の近傍に設けられた押圧部４６と第２開口部３６の近傍に設けられた押圧部４８とは、表側シート１２が押圧されることにより、第１開口端縁３４ａと押圧部４６との間および第２開口端縁３６ａと押圧部４８との間は、第１開口端縁３４ａおよび第２開口端縁３６ａが押圧部４６および押圧部４８より上方に持ち上がっている、持ち上がり部５０及び持ち上がり部５２を形成している。
したがって、持ち上がり部５０及び持ち上がり部５２は、第１開口部３４の第１開口端縁３４ａと第２開口部３６の第２開口端縁３６ａと共に、仕切り用シート１６表面より持ち上がり、第１開口部３４及び第２開口部３６が広がって、収容部内への被収容物Ａの出し入れ、特に入れることが容易となっている。
【００１７】
次に、裏ポケット部２２を構成する裏側シート１４について説明する。
裏ポケット部２２は、裏側シート１４の略中央より若干右寄りに位置する部位において、裏側シート１４の長手方向に形成された熱溶着部２６ａによって、左右に分割されるとともに、裏側シート１４の右側端縁近傍に形成されたとじ代部２４との間において裏側シート１４の長手方向に形成された熱溶着部２６ｂによって区画形成されている。
【００１８】
裏ポケット部２２は、熱溶着部２６ａによって左右に分割されて第１ポケット部列１３０と第２ポケット部列１３２とが形成されている。
第１ポケット部列１３０は、熱溶着部２８ａが幅方向において直線状に所定間隔をおいて間歇的に形成されて、上から五段の小さく区画された小ポケット部１２０ａ，１２０ｂ，１２０ｃ，１２０ｄ，１２０ｅを備えている。小ポケット部１２０ａ，１２０ｂ，１２０ｃ，１２０ｄ，１２０ｅは、上から順に、同一間隔で設けられている。
また、第２ポケット部列１３２も、第１ポケット部列１３０と同様に形成されている。すなわち、熱溶着部２８ｂが、前記熱溶着部２８ａに続いて、幅方向において間歇的に直線状に形成され、熱溶着部２８ｂによって区画形成された小ポケット部１２０ｆ，１２０ｇ，１２０ｈ、１２０ｉ，１２０ｊが上から順に、同一間隔で設けられている。
【００１９】
第１ポケット部列１３０を構成する小ポケット部１２０ａ，１２０ｂ，１２０ｃ，１２０ｄ，１２０ｅの収容部内に、名刺等のカード型の被収容物Ａを出し入れするために、裏側シート１４の上端から下端にわたって連続した、細巾スリット状で直線の第１開口部１３４が形成されている。
第１開口部１３４は、裏ポケット部２２ととじ代部１２４とを区画する熱溶着部２６ｂと略平行に形成され、該熱溶着部２６ｂとは一定の間隔をあけて形成されている。
この第１開口部１３４が、小ポケット部１２０ａ，１２０ｂ，１２０ｃ，１２０ｄ，１２０ｅのそれぞれの開口部を形成している。
また、第２ポケット部列１３２を構成する小ポケット部１２０ｆ，１２０ｇ，１２０ｈ，１２０ｉ，１２０ｊの収容部内に被収容物Ａを出し入れするために、裏側シート１４の上端から下端にわたって連続した、細巾スリット状で直線の第２開口部１３６が形成されている。
第２開口部１３６は、第１ポケット部列１３０と第２ポケット部列１３２とを区画する熱溶着部２６ａと平行で、該熱溶着部２６ａとは一定の間隔をおいて設けられている。
この第２開口部１３６が、小ポケット部１２０ｆ，１２０ｇ，１２０ｈ、１２０ｉ，１２０ｊのそれぞれの開口部を形成している。
このように、熱溶着部２６ａと第２開口部１３６との間及び熱溶着部２６ｂと第１開口部１３４との間が、一定の間隔をおいて形成されることにより、連続した位置に形成するよりも、より熱溶着部２６ａ及び熱溶着部２６ｂの接着が強固となる。
【００２０】
裏ポケット部２２を構成する裏側シート１４は、部分的に切断されて、小ポケット部１２０ａ，１２０ｂ，１２０ｃ，１２０ｄ，１２０ｅ内に被収容物Ａを出し入れするために形成された第１開口部１３４および小ポケット部１２０ｆ，１２０ｇ，１２０ｈ，１２０ｉ，１２０ｊ内に被収容物Ａを出し入れするために形成された第２開口部１３６によって、とじ代部１２４側より、第１シート１４０、第２シート１４２、第３シート１４４に分断されている。
第１シート１４０は、とじ代部１２４の側端に、熱溶着部２６ｂが形成され、とじ代部１２４とは反対側に直線状の開口部端縁１４０ｂを備えている。
第２シート１４２は、第１開口部１３４側の直線状の第１開口端縁１３４ａと、第２開口部１３６側の直線状の開口部端縁１４２ｂとを備え、開口部端縁１４２ｂの近傍に、開口部端縁１４２ｂとは一定の間隔をおいて、熱溶着部２６ａが形成されている。
第３シート１４４は、第２開口部１３６側の直線状の第２開口端縁１３６ａを備えている。
【００２１】
第１開口部１３４の第１開口端縁１３４ａと第２開口部１３６の第２開口端縁１３６ａの内側近傍において、該第１開口端縁１３４ａと第２開口端縁１３６ａに沿って、略平行に、裏側シート１４の外表面側より、裏ポケット部２２の収容部側に向けて押し型で裏側シート１４を押して、直線状の押圧部１４６および押圧部１４８が形成されている。
第１開口部１３４の近傍に設けられた押圧部１４６と第２開口部１３６の近傍に設けられた押圧部１４８とは、裏側シート１４が押圧されることにより、第１開口端縁１３４ａと押圧部１４６との間および第２開口端縁１３６ａと押圧部１４８との間は、第１開口端縁１３４ａおよび第２開口端縁１３６ａが押圧部１４６および押圧部１４８より上方に持ち上がっている、持ち上がり部１５０及び持ち上がり部１５２を形成している。
したがって、持ち上がり部１５０及び持ち上がり部１５２は、第１開口部１３４の第１開口端縁１３４ａと第２開口部１３６の第２開口端縁１３６ａと共に、仕切り用シート１６表面より持ち上がり、第１開口部１３４及び第２開口部１３６が広がって、収容部内への被収容物Ａの出し入れ、特に入れることが容易となっている。
【００２２】
このように、このポケット１０は、表側と裏側において、線対称になるように形成されている。そして、表側の第１開口部３４及び第２開口部３６と裏側の第１開口部１３４及び第２開口部１３６とは、第１開口端縁３４ａと押圧部４６との間及び第２開口端縁３６ａと押圧部４８との間が持ち上がり、且つ、第１開口端縁１３４ａと押圧部１４６との間及び第２開口端縁１３６ａと押圧部１４８との間が持ち上がって、開口部を広げていることにおいては、同一の構成となっている。
また、このポケット１０は、とじ代部２４ととじ代部１２４とには、表側シート１２から裏側シート１４に貫通する綴じ孔が適宜な間隔をおいて形成されており、図１０に示すように、リング綴じ具にてファイル化して用いることができるように構成されている。
【００２３】
このポケット１０を製造する方法は、種々考えられるが、例えば、次のようにして形成される。
例えば、筒状の熱可塑性樹脂フィルム（インフレーションフィルム）からなる筒状体２６０内に仕切り用プラスチック材２１６を挿入し、表側シート１２を構成する部分と裏側シート１４を構成する部分とに２分割し、仕切り用プラスチック材２１６を挟んで重合し、スリッターにより、第１開口部３４，１３４および第２開口部３６，１３６を形成するために、筒状体２６０を切断するとともに、長手方向に形成される熱溶着部２６ａおよび熱溶着部２６ｂを周知の溶着方法によって形成する。
【００２４】
さらに、スリッターによって第１開口部３４，１３４および第２開口部３６，１３６を形成すると同時にあるいは次工程において、押し型で筒状体２６０または筒状体２６０からなる表側シート１２と裏側シート１４とを押圧し、押圧部４６，１４６および押圧部４８，１４８を形成する。
押し型は、表側シート１２および裏側シート１４のいずれもが、その外側表面より仕切り用プラスチック材２１６に向けて押圧するように構成する。
【００２５】
しかして、第１開口部３４を構成する第１開口端縁３４ａと押圧部４６との間、および第２開口部３６を構成する第２開口端縁３６ａと押圧部４８との間は、第１開口端縁３４ａおよび第２開口端縁３６ａ側が、上方、すなわち、仕切り用シート１６より離れる方向に向けて持ち上がり、小ポケット部２０ａ，２０ｂ，２０ｃ，２０ｄ，２０ｅ，２０ｆ，２０ｇ，２０ｈ，２０ｉ，２０ｊに被収容物Ａを出し入れしやすくなるように広がる。
また、第１開口部１３４を構成する第１開口端縁１３４ａと押圧部１４６との間、および第２開口部１３６を構成する第２開口端縁１３６ａと押圧部１４８との間は、第１開口端縁１３４ａおよび第２開口端縁１３６ａ側が、上方、すなわち、仕切り用シート１６より離れる方向に向けて持ち上がり、小ポケット部１２０ａ，１２０ｂ，１２０ｃ，１２０ｄ，１２０ｅ，１２０ｆ，１２０ｇ，１２０ｈ，１２０ｉ，１２０ｊに被収容物Ａを出し入れしやすくなるように広がる。
【００２６】
さらに、熱溶着部２８ａおよび熱溶着部２８ｂによって分割してなる第１ポケット部列３０（１３０）を構成する小ポケット部２０ａ（１２０ａ），２０ｂ（１２０ｂ），２０ｃ（１２０ｃ），２０ｄ（１２０ｄ），２０ｅ（１２０ｅ）と第２ポケット部列３２（１３２）を構成する小ポケット部２０ｆ（１２０ｆ），２０ｇ（１２０ｇ），２０ｈ（１２０ｈ）、２０ｉ（１２０ｉ），２０ｊ（１２０ｊ）を形成するために、表側シート１２および裏側シート１４を形成する筒状体２６０の幅方向において、周知の熱溶着方法によって、表側シート１２と裏側シート１４を構成する筒状体２６０と仕切り用プラスチック材２１６を、同時に熱溶着し、熱溶着部２８ａ及び熱溶着部２８ｂを形成する。
さらに、とじ代部２４（１２４）には、適宜綴じ孔を形成する。
そして、ポケット１０の高さに合わせて、筒状体２６０と仕切り用プラスチック材２１６とを熱溶断して、溶断シール部１８ａ及び溶断シール部１８ｂを形成する。
【００２７】
なお、前記実施の形態においては、熱溶着部が、熱板による熱溶着によって形成されたが、これに限らず、例えば他の方法の熱溶着でもよく、さらに、接着剤によって形成されてもよい。
また、熱溶着部は、点線状、すなわち間歇的に形成されたが、一定の長さを有する直線状に形成されてもよい。
また、前記実施の形態においては、インフレーションフィルム等の筒状体をもってポケット部を形成したが、１枚のシートを折り返し重ね合わせて、その間に仕切り用プラスチックシートを挟み、ポケット部を形成してもよく、また、２枚のシートの間に仕切り用プラスチックシートを重ね合わせ、上下端縁および左右端縁を熱溶着することによりシールし、ポケット部を形成してもよい。
さらに、綴じ孔は、円形の孔に限らず、矩形の孔でもよい。
また、綴じ孔の個数も、２個、４個、１３個、２６個および３０個の綴じ孔が形成されてもよく、その他の個数の綴じ孔が形成されてもよい。
【図面の簡単な説明】
【図１】この発明の一実施の形態である名刺用ポケットの正面図である。
【図２】図１図示名刺用ポケットの背面図である。
【図３】図１図示名刺用ポケットの底面図である。
【図４】図１の線Ｂ−Ｂにおける断面図である。
【図５】図４図示Ｃ−Ｃ拡大断面図である。
【図６】図４図示Ｄ−Ｄ拡大断面図である。
【図７】開口部における縦断面図解図である。
【図８】図１図示Ｅ−Ｅ拡大図である。
【図９】製造方法の一例を示す図解図である。
【図１０】製造方法の一例を示す図解図である。
【図１１】この発明の一実施の形態であるポケットの利用方法を示す図解図である。
【符号の説明】
Ａ  被収容物
１０  ポケット
１２  表側シート
１４  裏側シート
１６  仕切り用シート
１８ａ，１８ｂ  溶断シール部
２０  表ポケット部
２０ａ，２０ｂ，２０ｃ，２０ｄ，２０ｅ  小ポケット部
１２０ａ，１２０ｂ，１２０ｃ，１２０ｄ，１２０ｅ  小ポケット部
２０ｆ，２０ｇ，２０ｈ，２０ｉ，２０ｊ  小ポケット部
１２０ｆ，１２０ｇ，１２０ｈ，１２０ｉ，１２０ｊ  小ポケット部
２２  裏ポケット部
２４，１２４  とじ代部
２６ａ，２６ｂ  熱溶着部（縦）
２８ａ，２８ｂ  熱溶着部（横）
３０，１３０  第１ポケット部列
３２，１３２  第２ポケット部列
３４，１３４  第１開口部
３４ａ，１３４ａ  第１開口端縁
３６，１３６  第２開口部
３６ａ，１３６ａ  第２開口端縁
４０，１４０  第１シート
４０ｂ，１４０ｂ  開口部端縁
４２，１４２  第２シート
４２ｂ，１４２ｂ  開口部端縁
４４，１４４  第３シート
４６，４８，１４６，１４８  押圧部
５０、５２，１５０，１５２  持ち上がり部
２１６  仕切り用プラスチック材
２６０  筒状体
【図１】
2004216594.tif 000003
【図２】
2004216594.tif 000004
【図３】
2004216594.tif 000005
【図４】
2004216594.tif 000006
【図５】
2004216594.tif 000007
【図６】
2004216594.tif 000008
【図７】
2004216594.tif 000009
【図８】
2004216594.tif 000010
【図９】
2004216594.tif 000011
【図１０】
2004216594.tif 000012
【図１１】
2004216594.tif 000013
【手続補正書】
【提出日】平成15年2月18日(2003.2.18)
【手続補正１】
【補正対象書類名】明細書
【補正対象項目名】図１２
【補正方法】追加
【補正の内容】
【図１２】この発明の一実施の形態であるポケットの利用方法を示す開口部における縦断面図解図である。


【手続補正２】
【補正対象書類名】図面
【補正対象項目名】図１２
【補正方法】追加
【補正の内容】
【図１２】
2004216594.tif 000014